(57)【要約】      （修正有）【課題】小型化を図り易くし、スイッチ切換作動を安定化したり良好にする。【解決手段】凹部１１付きソケット本体１０と、凹部１１内にそれぞれ設けられて口金４１がねじ込まれる第１接点部材１及び口金中心端子４２が押圧する第２接点部材２と、未装着時のオフ状態から放電灯を装着することでオンに切り換えられるスイッチ手段Ｓとを備えたソケット。ソケット本体１０は凹部中央に貫通した中心孔１３、底面１４側に刻設されて中心孔と交差した状態で両側へ延びている溝部１５を有している。スイッチ手段Ｓは、中心孔１３に挿入保持されるコイルばね２０、コイルばねに下側を挿入し上部を中心孔の上へ突出して第２接点部材と対向している可動部材２１、一方側溝部分１５ａに基端を支持し先端を可動部材の真下に配置した第１端子片２２、他方側溝部分１５ｂに基端を支持し先端を第１端子片の先端真下で隙間を保っている第２端子片２３を備えている。【選択図】図１
2005032530.tif 000002
【特許請求の範囲】
【請求項１】
凹部を有したソケット本体と、前記凹部内にそれぞれ設けられてＥ形の口金がねじ込まれて電気接続される筒形部を有した第１接点部材及び前記口金の中心端子が押圧して電気接続される上下変位可能な片状の第２接点部材と、前記ソケット本体に内設されて放電灯未装着時のオフ状態から放電灯を装着することでオンに切り換えられるスイッチ手段とを備えたソケットであって、前記ソケット本体は、前記凹部の中央上下に貫通形成した中心孔と、底面側に刻設されて前記中心孔と交差した状態で両側へ延びている溝部とを有しており、前記スイッチ手段は、前記中心孔に挿入保持されて上下伸縮自在なコイルばねと、前記コイルばねに下部を挿入し、かつ上部を前記中心孔の上へ突出して前記第２接点部材と対向している絶縁性可動部材と、前記溝部のうち前記中心孔より一方側溝部分に基端を支持し、先端を前記可動部材の真下に配置している第１端子片と、前記溝部のうち前記中心孔より他方側溝部分に基端を支持し、先端を前記第１端子片の先端真下で所定隙間を保っている第２端子片とを備え、
前記放電灯が前記ソケット本体に前記口金及び筒形部を介して装着されると、前記第２接点部材が前記口金の中心端子により下向きに変位し、前記可動部材が前記第２接点部材の下向き変位に連動して前記コイルばねの付勢力に抗し下移動し、前記第１端子片が前記下移動する可動部材に押されて下方へ変位し前記第２端子片と電気接続することを特徴とする放電灯用ソケット。
【請求項２】
前記溝部のうち、前記一方側溝部分を前記他方側溝部分より深く形成している請求項１に記載の放電灯用ソケット。
【請求項３】
前記ソケット本体は、前記凹部内に突起部を有し、該突起部に前記中心孔を形成している請求項１又は２に記載の放電灯用ソケット。
【請求項４】
前記ソケット本体は、前記凹部内底面から前記溝部に通じている２個の貫通孔と、前記各貫通孔にそれぞれ挿入されて前記第１と第２端子片の各基端を支持している支持軸と、前記各端子片を目視不能に覆う絶縁板とを有している請求項１から３の何れかに記載の放電灯用ソケット。
【発明の詳細な説明】
【０００１】
【発明の属する技術分野】
本発明は、ランプＥ形ソケットのうち、メタルハライドランプ等に使用されてインターロック用のスイッチ手段を内設した放電灯用ソケットに関する。
【０００２】
【従来の技術】
放電灯は、白熱電球に比べ発光効率が高く寿命も長いが、点灯開始するための高電圧用始動回路が必要となる。このソケットでは、そうした高電圧を考慮してランプ装着時にオン、未装着時にオフとなる安全対策上のインターロック用のスイッチ手段が内設される。図７はその従来例として特許文献１に開示の放電灯用ソケット及びその点灯装置を示している。このうち、同（ｂ）の点灯装置は始動回路５５等を含む安定器５０を備えている。安定器５０は、一次側電源５１の電圧が中継端子５２を介し供給されると、安定器内のラインフィルタを構成している整流回路及び力率改善回路等を介して整流されかつ遅延させて始動回路５５に印加されるようにする。これは、放電灯４０をソケット６０に装着するとき、装着の途中で放電灯４０が点灯しないようにする。また、スイッチ手段Ｓは、安定器５０と一次側電源５１との間の電気的な接続をオン、オフするもので、ソケット６０に対し放電灯４０が装着されているときにオン状態を維持し、未装着時にオフに切り換えられる。これは、例えば、放電灯を装着したソケットが複数ある場合、メインの元スイッチを切ることなく、未装着のソケットについてだけ電源側からの電圧供給を遮断できるようにする。
【０００３】
同（ａ）のソケット６０は、下側のベース部材６５及び上側のソケット本体７０から概略構成されている。ソケット本体７０は、内部が仕切用隔壁７１により上・下室７１ａ．７１ｂに区画されていると共に、上下室７１ａ．７１ｂを隔壁７１の中央の貫通孔７２により連通している。ベース部材６５は、筒型部材６６を支持して、ソケット本体７０の底面に配設されると、筒型部材６６を下室７１ｂより貫通孔７２に遊挿可能にする。また、ソケット本体７０は、隔壁７１にねじ等で取り付けられて口金４１を螺合する筒形部７３ａ付きの第１接点部材７３と、筒型部材６６内に配置されて上下動自在かつコイルばね７８により上方へ付勢されている第２接点部材７４と、下室７１ｂ側より貫通孔７２と筒型部材６６との間の隙間から上室７１ａに出没可能に配置された可動スリーブ７５と、可動スリーブ７５の下端に当接されてコイルばね７９により可動スリーブ７５と共に上方へ付勢されている第１端子７６と、筒型部材６６の下外周に付設されて第１端子７６に対向配置されている第２端子７７とを備えている。なお、第１端子７６及び第２端子７７は前記スイッチ手段Ｓの端子部材であり、又、符号Ｌ１は第１接点部材７３に接続されたリード線、符号Ｌ２は第２接点部材７４に接続されたリード線、符号Ｌ３は第１端子７６に接続されたリード線、符号Ｌ４は第２端子７７に接続されたリード線である。そして、放電灯４０は、ソケット本体７０に対し口金４１と筒形部７３ａとの螺合（第１接点部材７３と電気接続）を介して保持される。その際には、放電灯４０がねじ込まれると、該ねじ込み量に応じて、可動スリーブ７５がコイルばね７９の付勢力に抗し寸法ａだけ下移動されたときに口金の中央端子４２が第２接点部材７４と電気接続された後、可動スリーブ７５がコイルばね７８の付勢力に抗し寸法ｂ（ｂ＞ａ）下移動されたときに第１端子７６が第２端子７７に電気接続される。
【０００４】
【特許文献１】
特開平１０−２８３９１５号公報（第２〜３頁、図１）
【０００５】
【発明が解決しようとする課題】
上記した従来ソケットでは、スイッチ手段Ｓと関連して次のことが問題となる。
第１に、この構造では、ソケット本体７０の中心貫通孔７２に対し第２接点部材７４、筒型部材６６、可動スリーブ７４を同芯円状に配置するため、又、筒型部材６６を支持するベース部材６５が必須となるため小型化し難くい。これは、例えば、貫通孔７２の孔径が筒型部材６６及び可動スリーブ７４に応じて大きくなり、ソケット本体７０が陶磁器製だと強度を満たす上で隔壁７１の肉厚をある程度大きくしなくてはならないためである。
第２に、可動スリーブ７４は、ソケット本体側の中心貫通孔７２と筒型部材６６との間の隙間を上下動するため安定した切り換えを維持できなくなり易い。これは、前記隙間を小さくすると可動スリーブ７４の摺動抵抗が大きくなり、逆に、前記隙間を大きくして摺動性を良好にすると可動スリーブ７４が偏ったりがたつき要因となるからである。
第３に、ソケット本体７０とベース部材６５は、貫通孔７２に配置される筒型部材６６及び可動スリーブ７５を介在した状態で位置だしされて一体化される構造であるため、部材間の精度が厳格に要求されて組立操作が煩雑となり易い。
【０００６】
本発明は以上のような課題を解消することを目的としている。具体的には、ソケットの剛性及び強度を損なうことなく小型化をより図り易くし、スイッチ手段の切換作動を安定化したり良好にして品質を向上することにある。他の目的は以下の内容説明の中で明らかにする。
【０００７】
【課題を解決するための手段】
以上の目的を達成するため本発明は、図１〜図６の例で特定すると、凹部を有したソケット本体１０と、前記凹部１１内にそれぞれ設けられてＥ形の口金４１がねじ込まれて電気接続（これは電気的に導通可能になる意味、以下、同じ）される筒形部１ａを有した第１接点部材１及び前記口金の中心端子４２が押圧して電気接続される上下変位可能な片状の第２接点部材２と、前記ソケット本体１０に内設されて放電灯未装着時のオフ状態から放電灯を装着することでオンに切り換えられるスイッチ手段Ｓとを備えたソケットであって、前記ソケット本体１０は、前記凹部１１の中央上下に貫通形成した中心孔１３と、底面（下面と同じ）１４側に刻設されて前記中心孔１３と交差した状態で両側へ延びている溝部１５とを有しており、前記スイッチ手段Ｓは、前記中心孔１３に挿入保持されて上下伸縮自在なコイルばね２０と、前記コイルばね２０に下部２１ｂを挿入し、かつ上部２１ａを前記中心孔１３の上へ突出して前記第２接点部材２と対向している絶縁性可動部材２１と、前記溝部１５のうち前記中心孔１３より一方側溝部分１５ａに基端を支持し、先端を前記可動部材２１の真下に配置している第１端子片２２と、前記溝部１５のうち前記中心孔１３より他方側溝部分１５ｂに基端を支持し、先端を前記第１端子片２２の先端真下で所定隙間を保っている第２端子片２３とを備え、前記放電灯４０が前記ソケット本体１０に前記口金４１及び筒形部１ａを介し装着されると、前記第２接点部材２が前記口金の中心端子４２により下向きに変位し、前記可動部材２１が前記第２接点部材２の下向き変位に連動して前記コイルばね２０の付勢力に抗し下移動し、前記第１端子片２２が前記下移動する可動部材２１で押されて下方へ変位し前記第２端子片２３と電気接続することを特徴としている。
【０００８】
（工夫点等）以上のソケットでは、放電灯の装着状態で、第２接点部材が口金の中心端子に押圧されて下へ変位される動きを利用し、可動部材を介し第１端子片を下向きに変位して第２端子片と接触可能にしたものである。この利点は、まず、第１接点部材及び可動部材が同軸線上に配置され、その下に第１端子片及び第２端子片が接離可能に配置されることから、従来より小型なランプＥ型用ソケットにも容易に適用可能にする。また、スイッチ作動は、可動部材がソケット本体凹部の中央上下に貫通した中心孔にコイルばねを介し配置され、口金の中心端子で押される第２接点部材の変位で下移動されるようにしたことから、力の伝達効率がよく、かつ部材間の摩耗抵抗を受けないようにして良好かつ安定した切換作動を実現可能にする。更に、この構造では、放電灯が口金及び中心端子を対応する各接点部材に電気接続された後、スイッチ手段をオンに切り換える上での確実性に優れ、又、スイッチ手段の構成部材が凹部の中心孔及び底面側の溝部を基準として組み付けられるため部材間の位置精度を出し易く組立性に優れている。なお、本発明の中心孔は、凹部の略中心を貫通していればよく、又、断面が真円でなくても差し支えない。
【０００９】
（請求項２）前記溝部１５のうち、前記一方側溝部分１５ａを前記他方側溝部分１５ｂより深く形成していると、第１端子片及び第２端子片が対応溝部分により位置出しされかつ互いの隙間も容易に確保される。
（請求項３）前記ソケット本体１０は、前記凹部内に突起部１２を有し、該突起部１２に前記中心孔１３を形成していると、前記中心孔の上下寸法が突起部の高さに応じて大きくなるため、例えば、コイルばねの配置スペースを確保容易にしたり可動部材の上下動を良好に保ち易くなる。
（請求項４）前記ソケット本体１０は、前記凹部内底面から前記溝部１５に通じている２個の貫通孔１８ａ，１８ｂと、前記各貫通孔にそれぞれ挿入されて前記第１と第２端子片２２，２３の各基端を支持している支持軸３４ａ，３４ｂと、前記各端子片２２，２３を目視不能に覆う絶縁板３６（又は３）とを有していると、各端子片の取付性が良好となり絶縁板の存在で安全性も具備できる。
【００１０】
【発明の実施の形態】
本発明の好適な形態例について図面を用いて説明する。図１（ａ），（ｂ）はソケットに放電灯を装着した状態を図３及び図５に対応した断面で示す図である。図２と図３は前記ソケットの細部を示し、図２（ａ）は上面図、図２（ｂ）は同（ａ）のＡ−Ａ線断面図、図２（ｃ）は下面図、図３（ａ）は図２（ａ）のＢ−Ｂ線断面図、図３（ｂ）は図２（ｃ）のＣ−Ｃ線断面図である。図４と図５はソケット本体の単品を示し、図４（ａ）は上面図、図４（ｂ）は同（ａ）のＡ−Ａ線断面図、図４（ｃ）は下面図、図５（ａ）は図４（ａ）のＢ−Ｂ線断面図、図５（ｂ）は図４（ｃ）のＣ−Ｃ線断面図である。図６はソケット本体単品を底面側より見た概略斜視図である。なお、図１〜図３では煩雑にならないよう必要に応じて断面のハッチングを省略した。以下の説明では、概要、ソケット本体、スイッチ構造、組立、主な作動の順で詳述する。
【００１１】
（概要）図１〜図３のランプＥ形用ソケットは、ソケット本体１０が放電灯４０側のＥ形の口金４１を挿入する凹部１１を形成し、該凹部１１内に対し口金４１と螺合する筒形部１ａを有した第１接点部材１及び口金４１の中心端子４２が押圧して電気接続される上下に弾性変位可能な第２接点部材２を配設し、又、凹部１１の中心上下を貫通形成した中心孔１３と同軸線上にインターロック用のスイッチ手段Ｓの各部材を内設した構成となっている。なお、第１と第２接点部材１，２は従来品とほぼ同じである。つまり、第１接点部材１は、受金と称されている銅製等の接触片であり、上側の雌ねじ付き筒形部１ａと、筒形部１ａの下側に延びた略半筒形部と、該半筒形部の下側に直角に折り曲げられて２つの取付孔付きの取付部１ｂとを有している。第２接点部材２は、略く形状に形成されたリン青銅等の接触片であり、水平となった取付孔付きの取付部２ａと、取付部２ａから斜め上向きに折り曲げられて口金４１の中心端子４２に当接される傾斜片部２ｂとを有している。また、スイッチ手段Ｓは、中心孔１３に挿入保持されたコイルばね２０と、該コイルばね２０に下部２１ｂを挿入保持した状態で中心孔１３より上部２１の一部を突出している可動部材２１と、可動部材２１によりオン及びオフ位置が切り換えられる可動側第１端子片２２と、第１端子片２２と接離される固定側第２端子片２３とから構成されている。そして、形態例のソケットは、図７（ａ）のものと同様に第１接点部材１に一端を接続して引き出されたリード線Ｌ１と、第２接点部材２に一端を接続して引き出されたリード線Ｌ２と、第１端子片２２に一端側を接続して引き出されたリード線Ｌ３と、第２端子片２３に一端側を接続して引き出されたリード線Ｌ４とを有している。使用態様としては、例えば、図７（ｂ）と同様に、リード線Ｌ１，Ｌ２の他端が点灯装置である安定器５０の始動回路５５側に接続され、リード線Ｌ３，Ｌ４の他端が安定器５０と一次側電源５１との間の配線に接続される。なお、点灯装置は、色々に改良（特開２００１−１２６８８７号等）されており、それら公知のものが任意に適用可能である。
【００１２】
（ソケット本体）前記ソケット本体１０は、図４〜図６に示されるようにステアタイト等の陶磁器製であり、全体が有底円筒形に形成されている。ソケット本体１０内である前記凹部１１は、内底面で閉じられていると共に、内周面に対向して形成されている２つの縦溝１１ａと、内底面に突設されて先端側に前記中心孔１３の上側を開口している突起部１２とを有している。これに対し、ソケット本体１０の底面１４側は、周囲部を除いて少し低くなっている段差端面１４ａと、周囲部の片側２箇所にづつ設けられて前記リード線Ｌ１，Ｌ２を導出する大欠如部１４ｂ及び前記リード線Ｌ３，Ｌ４を導出する小欠如部１４ｃと、段差端面１４ａのうち各大欠如部１４ｂの内側部分に設けられた凹状の逃げ部１４ｄと、段差端面１４ａのうち各小欠如部１４ｃの内側に位置しかつ前記中心孔１３と交差する状態に設けられた溝部１５とが設けられている。溝部１５は、深さが中心孔１３を境にして異なっていて、前記第１端子片２２を配置する一方側溝部分１５ａが中心孔１３を含めて第２端子片２３を配置する他方側溝部分１５ｂより深く形成されている（図５参照）。溝部１５の溝幅寸法は、中心孔１３より少し小さく形成され、中心孔１３を上から見ると溝縁が露出している。すなわち、この構造では、前記コイルばね２０が中心孔１３に挿入されたときその一方側溝部分１５ａの溝縁上に保持されるようになっている。
【００１３】
また、突起部１２は、凹部内周面から凹部中央部まで張り出した舌状であり、凹部内周面側に第２接点部材２の取付部２ａを位置決めする小窪み部１２ａを形成している。このため、凹部１１の内底面は、突起部１２の箇所を除いて概略コ形となっている。ここには、突起部１２の片側及び先端側に設けられている対の貫通孔１６ａ，１６ｂと、前記小窪み部１２ａに設けられている貫通孔１７と、突起部１２の片側と先端側に設けられている対の貫通孔１８ａ，１８ｂと、突起部１２の先端両側に設けられている貫通孔１９ａ，１９ｂとが設けられている。このうち、貫通孔１６ａ，１６ｂは、段差端面１４ａに貫通していると共に、凹部内底面より所定深さまで径大孔１６ｃとなっており、ソケット本体１０をパネル４に直に、或いはマイカ板（絶縁板）３を介在し取り付けるときに使用される（図１参照）。貫通孔１７は、前記逃げ部１４ｄの一方側に貫通していると共に、逃げ部１４ｄ内底面より所定深さまで角穴１７ｂとして形成され、第２接点部材２の取付用として使用される。貫通孔１８ａ，１８ｂは、前記溝部１５の対応溝部分１５ａ，１５ｂに貫通していると共に、凹部内底面より所定深さまで径大孔１８ｃとなっており、第１と第２端子片２２，２３の取付用として使用される。貫通孔１９ａ，１９ｂは、貫通孔１９ａが前記逃げ部１４ｄの他方側に貫通し、貫通孔１９ｂが段差端面１４ａに貫通していると共に、それぞれが逃げ部１４ｄと段差端面１４ａ側より所定深さまで角穴１９ｃとして形成され、第１接点部材１の取付用として使用される。
【００１４】
（スイッチ構造）スイッチ手段Ｓの構成部材のうち、コイルばね２０は、中心孔１３の上下寸法より小さく、中心孔１３に対し全体が挿入されて上下伸縮自在に保持される。可動部材２１は、ソケット本体１０と同等な材質であり、全体が中心孔１３の上下寸法より長く、又、下部２１ｂが径小でコイルばね２０の巻き部内に挿入され、上部２１ａがコイルばね２０の上に保持された状態でその一部を中心孔１３より突出する。第１と第２端子片２２，２３は、リン青銅等のスイッチ用端子部材であり、幅寸法が溝部１５の溝幅より小さく、長さが対応する溝部分１５ａ，１５ｂより若干小さく、又、各基端に貫通形成された取付孔を有している。第１端子片２２は、溝部分１５ａに配置されて、基端が支持軸３４ａ及びコイルばね３７等を介して支持された状態で、先端が中心孔１３の真下に配置される。第２端子片２３は、溝部分１５ｂに配置されて、基端が支持軸３４ｂ及びコイルばね３８，３９等を介して支持された状態で、第１端子片２２と所定間隔を保ち、かつ先端が第１端子片２２の先端真下に配置される。なお、支持軸３４ａ，３４ｂは頭部及び所定長さの軸部からなり、該軸部の先端側に雄ねじを形成している。各コイルばね２０及び３７〜３９は、巻き径及び全寸が異なるが、材質的にはステンレス製等のコイルばねである。図３の符号２３ａは、第２端子片２３の先端に上より下へ貫通装着された接点部とばね支持部とを兼ねるピン部材である。
【００１５】
（組立）次に、以上の各部材をソケット本体１０に組み付ける際の組立例を概説する。組立では、上記した部材以外にも、第１接点部材１に用いられるねじ部材３０ａ，３０ｂ，３０ｃ及びナット３１ａ，３１ｂと、第２接点部材２に用いられるねじ部材３２ａ，３２ｂ及びナット３３と、第１と第２端子片２２，２３に用いられるねじ孔付きの止め部材３５ａ，３５ｂ及び溝部１５に沿って配置される絶縁板３６とが用意される。第１端子片２２の基端にはリード線Ｌ３の一端が、第２端子片２３の基端にはリード線Ｌ４の一端がそれぞれ予め溶着等により固定接続される。
【００１６】
組立操作では、例えば、スイッチ手段Ｓの各端子片２２，２３を先に組み付け、その後、可動部材２１や第１と２接点部材１，２を組み付けることが好ましい。各端子片２２，２３の組み付けでは、支持軸３４ａ，３４ｂを凹部１１内より対応する貫通孔１８ａ，１８ｂに挿入した状態で、溝部１５に突出している支持軸３４ａ，３４ｂの軸部分に対し対応する第１と第２端子片２２，２３の基端（の取付孔）をそれぞれ挿通した後、対応するコイルばね３７，３８をそれぞれ軸挿し、又、前記第２端子片２３の先端に設けられているピン部材２３ａにもコイルばね３９を軸挿する。そして、各リード線Ｌ３，Ｌ４を対応する小欠如部１４ｃから外へ導出する。その状態から、絶縁板３６が溝部１５に配置される。この絶縁板３６は、貫通孔１８ａ，１８ｂに対応した孔を有し、該各孔から支持軸３４ａ，３４ｂの先端を挿通する。すなわち、この構造では、前記止め部材３５ａ，３５ｂを絶縁板３６の孔に対応配置した状態から、支持軸３４ａ，３４ｂが凹部１１内よりねじ込み操作されると、止め部材３５ａ，３５ｂを介し装着保持される。
【００１７】
このようにして組み付けられると、図３のように、第１端子片２２は、溝部分１５ａにあって、支持軸３４ａの軸回れに配置されて絶縁板３６との間に圧縮されているコイルばね３７により上向きに押圧され、かつ、先端を中心孔１３に位置した状態でほぼ水平に保持されている。第２端子片２３は、溝部分１５ｂにあって、支持軸３４ｂの軸回りに配置されて絶縁板３６との間に圧縮されているコイルばね３８及び先端側のコイルばね３９により上向きに押圧され、かつ、先端が第１端子片２２の先端に対し所定間隔を保ってほぼ水平に保持されている。
【００１８】
次に、第２接点部材２の組み付けでは、まず、コイルばね２０が中心孔１３に挿入され、可動部材２１がその中心孔１３内のコイルばね２０に対し下部２１ｂを挿入して保持される。その後、ナット３３を底面１４側より角穴１７ｂに配置する。その状態で、第２接点部材２は、凹部１２内よりねじ部材３２ａを取付部２ａの取付孔から貫通孔１７を通ってナット３３に締め付けることにより取り付けられる。この取付状態では、第２接点部材２の傾斜片部２ｂが凹部１１内の略中央で最大高さ位置に配置されており、又、前記可動部材２１の先端が下から軽く当接している。なお、ナット３３は、厚く形成され、逃げ部１４ｄに露出している側がリード線Ｌ２の一端側を接続固定するねじ部材３２ｂを止める部分として利用される（図３の（ａ）参照）。すなわち、この構造では、第２接点部材２とリード線Ｌ２との間がねじ部材３２ｂ及びナット３３等を介し電気的に導通可能にしている。但し、この接続構造は必要に応じて変更される。
【００１９】
これに対し、第１接点部材１の組み付けでは、第１接点部材１の取付部１ｂを凹部１１内に位置決め配置し、又、底面１１側よりナット３１ａを貫通孔１９ａの角穴１９ｃに配置すると共にナット３１ｂを貫通孔１９ｂの角孔１９ｃに配置する。その状態で、ねじ部材３０ａを対応貫通孔１９ａからナット３１ａに締め付け、ねじ部材３０ｂを対応貫通孔１９ｂからナット３１ｂに締め付けることにより取り付けられる。なお、ナット３１ａは、前記ナット３３と同じく厚く形成され、対応逃げ部１４ｄに露出している側がリード線Ｌ１の一端側を接続固定するねじ部材３０ｃを止める部分として利用される（図２の（ｂ）参照）。すなわち、この構造では、第１接点部材１とリード線Ｌ１との間がねじ部材３０ａ及びナット３１ａ等を介し電気的に導通可能にしている。但し、この接続構造も必要に応じて変更される。なお、凹部１１内には、前記した対の縦溝１１ａに沿って放電灯の装着状態を補強する緩み止め板が必要に応じて付設される。該緩み止め板は、第１接点部材１を取り付けるねじ部材３０ａ，３０ｂで共締め可能に設計されている（特願２００３−１８０７を参照）。
【００２０】
（作動）以上の放電灯用ソケットには、メタルハライドランプ等の放電灯４０が筒形部１ａに口金４１を当ててねじ込むことにより保持される。保持状態では、図１から分かるように、中心端子４２が第２接点部２の傾斜片部２ｂを下へ押圧変位している。第２接点部材２は、その下向きへの変位量に応じて、可動部材２１をコイルばね２０の付勢力に抗して下移動する。すると、第１端子片２２は、その可動部材２１の下移動にほぼ連動して、先端が基端を支点として下向きに変位し、真下にある第２端子片２３（の先端）と電気的に接続される（スイッチ手段Ｓのオン状態）。また、この構造では、放電灯４０が筒形部１ａから外されると、第２接点部２に加わっていた下向きの負荷が解放されて、図２と図３のように、第２接点部材２の傾斜片部２ｂが当初の初期位置へ弾性復帰し、可動部材２１がそれに連動してコイルばね２０の付勢力により当初の初期位置へ復帰し、第１端子板２２が自身の復元力及びコイルばね３７の付勢力により初期位置へ復帰する。これにより、スイッチ手段Ｓは、放電灯４０を外すと同時に、第１端子片２２が第２端子片２３から離れて電気的に非接続（オフ状態）に切り換えられる。
【００２１】
なお、本発明の放電灯用ソケットは、以上の形態に何ら制約されず、請求項１の要件を除いて適宜変更可能なものである。その一例として、原理的には、第１端子片２２の基端を支持軸３４ａにナット等で固定してコイルばね３７を省略（その形態では第２端子片が自身の板ばねの弾性力でオン状態から初期のオフに切り換えられる）したり、第２端子片２３の基端を支持軸３４ｂにナット等で固定してコイルばね３８や３９を省略することである。但し、各種試験からは、より確実な作動切り換えを保証する点から、コイルばね３７〜３９のうち、少なくとも第１端子片２２側のコイルばね３７を付設する方が好ましいと言える。
【００２２】
【発明の効果】
以上説明したとおり、本発明の放電灯用ソケットは、図７の従来品に対し第１接点部材及び可動部材が同軸線上に配置されているため小型なランプＥ型用ソケットにも適用でき、スイッチ作動として力の伝達効率がよく部材間の摩耗抵抗を受け難いため切換作動を安定かつ良好にできる。また、本発明品は、放電灯が口金及び中心端子を対応する各接点部材に電気接続された後、スイッチ手段をオンに切り換える上での確実性に優れると共に組立性にも優れている。
【図面の簡単な説明】
【図１】発明形態のソケットに放電灯を装着した模式断面図である。
【図２】上記ソケットの上下面及び断面した図である。
【図３】上記ソケットの要部を断面した図である。
【図４】上記ソケットのソケット本体単品を図２に対応して示す図である。
【図５】上記ソケットのソケット本体単品を図３に対応して示す図である。
【図６】上記ソケットのソケット本体単品を底面側より見た斜視図である。
【図７】従来の放電灯用ソケット及びその点灯装置を示す図である。
【符号の説明】
１…第１接点部材（１ａは雌ねじ付き筒形部、１ｂは取付部）
２…第２接点部材（２ａは取付部、２ｂは傾斜片部）
３…マイカ板（絶縁板）
４…パネル（被取付部材）
１０…ソケット本体（１１は凹部、１２は突起部、１３は中心孔）
１４…底面（１４ａは小段差、１４ｂ，１４ｃはリード線用導出口）
１５…溝部（１５ａは一方側溝部分、１５ｂは他方側溝部分）
１６ａ，１６ｂ…ソケット本体取付用貫通孔
１７…第２接点部材取付用貫通孔
１８ａ，１８ｂ…支持軸取付用貫通孔
１９ａ，１９ｂ…第１接点部材取付用貫通孔
２０…コイルばね
２１…可動部材（２１ａは上部、２１ｂは下部）
２２…第１端子片
２３…第２端子片
３４ａ，３４ｂ…支持軸
３６…絶縁板
４０…放電灯（４１は口金、４２は中心端子）
Ｌ１〜Ｌ４…リード線
Ｓ…スイッチ手段
【図１】
2005032530.tif 000003
【図２】
2005032530.tif 000004
【図３】
2005032530.tif 000005
【図４】
2005032530.tif 000006
【図５】
2005032530.tif 000007
【図６】
2005032530.tif 000008
【図７】
2005032530.tif 000009